(57)【特許請求の範囲】
【請求項１】
光軸に直交する面上を２枚の絞り羽根が互いに離接する方向に移動することにより絞り開口を形成するようにされた撮像装置の露出制御機構において、
前記露出制御機構は、光軸を中心とする光透過孔を有する筐体と、少なくとも２段階以上の透過率を有するＮＤフィルタが取着された第１の絞り羽根と、ＮＤフィルタが取着されていない第２の絞り羽根と、前記第１及び第２の絞り羽根を移動させる駆動手段とを備え、
前記第１の絞り羽根に取着された２段階以上の透過率を有するＮＤフィルタの透過率は上部の透過率を下部の透過率より高くし、
前記駆動手段は前記筐体に取着された駆動モータ及び該駆動モータの回転軸に固定された長さの異なる腕部を有する操作アームから成り、前記第１の絞り羽根を前記第２の絞り羽根よりも速く移動させるようにし、
前記筐体の前記光透過孔の領域内で、前記第１及び第２の絞り羽根は、前記ＮＤフィルタで部分的に又は全面的に覆われた絞り開口を形成する
ことを特徴とする撮像装置の露出制御機構。
【請求項２】
前記第１の絞り羽根は絞り開口形成用切欠を有し、前記第２の絞り羽根は絞り開口形成用開口を有し、前記ＮＤフィルタは前記第１の絞り羽根の前記絞り開口形成用切欠を覆って取着されている
ことを特徴とする請求項１に記載の撮像装置の露出制御機構。
【請求項３】
前記筐体の前記光透過孔は略円形であり、前記第１の絞り羽根の前記絞り開口形成用開口は、前記光透過孔の直径と略同じ幅の部分と、この部分から前記第２の絞り羽根と反対側に向かって幅狭になり端部が三角形状となる部分とから成り、前記第２の絞り羽根の開口形成用開口は、前記光透過孔と略同じ円形部分と、該円形部分に前記第１の絞り羽根と反対側で連結する三角状部分とから成る
ことを特徴とする請求項１に記載の撮像装置の露出制御機構。
【発明の詳細な説明】
【０００１】
【発明の属する技術分野】
本発明は新規な撮像装置の露出制御機構に関する。詳しくは、直線方向に離接する少なくとも２枚の絞り羽根から構成される露出制御機構において、中間域の回折の改善を図るとともに、所謂シェーディングを防止する技術に関する。
【０００２】
【従来の技術】
ビデオカメラ等の撮像装置の露出制御機構において、複数の絞り羽根を光軸回りに回動させて絞り径の調整を行う所謂虹彩絞りに替えて、一の直線上を互いに逆方向に移動する２枚の絞り羽根を用いて小型化と軽量化、並びに、コストの低減を図ったものが使用されるようになってきている。
【０００３】
ところが、被写体が明るい時に絞り径が小さくなり過ぎると、回析による画質の劣化と焦点深度の増大によるゴミの写り込み等が問題となる。
【０００４】
そこで、絞り羽根のうちの１枚にＮＤフィルタを貼り付け、このＮＤフィルタが絞り羽根の絞り開口形成用切欠内に突出するようにして、極端な小絞り状態になるのを防ぐようにしたものがある。
【０００５】
図８は、上記したような構造を有する露出制御機構ａを示すものであり、該露出制御機構ａは、２つの絞り羽根ｂ、ｃと、これら絞り羽根ｂ、ｃを駆動するための駆動手段ｄから成るものである。
【０００６】
一方の絞り羽根ｂは、その下縁に絞り開口形成用切欠ｅが形成されると共に、右側縁寄りの位置及び左側縁寄りの位置には、上下方向に延びる被案内スリットｆ、ｆ及び被案内スリットｇがそれぞれ形成されている。また、右上の被案内スリットｆの直上位置には、左右に長く延びた連結長孔ｈが形成されている。
【０００７】
そして、光通過孔を有する図示しない筐体に設けられた案内ピンが、前記被案内スリットｆ、ｆ及びｇに各別に摺動自在に係合し、よって、絞り羽根ｂは上記筐体に上下に摺動自在に支持される。
【０００８】
他方の絞り羽根ｃは、上縁に絞り開口形成用切欠ｉが形成され、ＮＤフィルタｊが絞り開口形成用切欠ｉの下端部を覆うように取着されると共に、左側縁寄りの位置及び右側縁寄りの位置には、上下方向に延びる被案内スリットｋ、ｋ及び被案内スリットｌがそれぞれ形成されている。尚、ＮＤフィルタｊとしては、例えば、１０％の透過率を有するものが用いられている。また、左上の被案内スリットｋの直上位置には、左右に長い連結長孔ｍが形成されている。
【０００９】
そして、前記絞り羽根ｂと同様に、図示しない筐体に設けられた案内ピンが、前記被案内スリットｋ、ｋ及びｌに各別に摺動自在に係合し、よって、絞り羽根ｃは上記筐体に上下に摺動自在に支持される。
【００１０】
駆動手段ｄは、前記図示しない筐体の上方に取着された駆動モータｎと該駆動モータｎの回転軸に取着固定された操作アームｏとを有するものである。操作アームｏは左右方向に長く形成されると共に、中央部が駆動モータｎの回転軸に固定されており、左右両端部には連結ピンｐ、ｐが突設されている。そして、右側の連結ピンｐが絞り羽根ｂの連結長孔ｈに、左側の連結ピンｐが絞り羽根ｃの連結長孔ｍに、それぞれ摺動自在に係合される。
【００１１】
従って、駆動モータｎの動作によって操作アームが回動すると、連結ピンｐ、ｐがそれぞれ反対方向に移動するので、これらと連結されている絞り羽根ｂ、ｃは、上下それぞれ反対の方向に移動することになる。これによって、絞り羽根ｂ、ｃそれぞれの絞り開口形成用切欠ｅ、ｉによって規定される絞り開口（絞り径）ｑが変化することになる。
【００１２】
図９は、上記露出制御機構ａにおいて、絞り羽根ｂ、ｃを移動させて開放絞り状態（ａ）から小絞り状態（ｇ）まで絞り開口を順次絞り込んでいった時の絞り開口ｑの形状とＮＤフィルタｊが絞り開口ｑを覆う（絞り開口ｑ内へ挿入される）様子を示すものである。
【００１３】
【発明が解決しようとする課題】
ところで、上記露出制御機構ａにあっては、図９に示す小絞り状態（ｇ）に至る中間の過程で、図９（ｅ）に示すように、ＮＤフィルタｊが絞り開口ｑの全体を覆いきらない状態の時に、素通し部分ｒが恰も小絞り状態の時と同様な効果（回析による画質の劣化と焦点深度の増大によるゴミの写り込み等）を示してしまうという問題があった。これは、素通し部分ｒとＮＤフィルタｊとの透過率の差が極端であるために生じているものと考えられる。
【００１４】
即ち、図４は、画面の対角寸法２．２５ｍｍにおける、テレビジョン受像機の解像度約２６０本に相当する空間周波数９６本／ｍｍを有する露出制御機構のＭＴＦ（modulation transfer function：変調伝達関数）値を光量Ｆナンバーに対応して表示するグラフ図であり、該グラフ図の破線で示すグラフが上記従来の露出制御機構ａのものである。このグラフから解るように、（ｄ）から（ｅ）にかけてＭＴＦ値が下降して（ｅ）状態で最も低く、その後、上昇しており、かかる（ｅ）の状態において小絞りが発生していることが推測できる。
【００１５】
そこで、絞り羽根ｃに透過率の異なる２枚のＮＤフィルタをｊ、ｊ′を移動方向にずらして取着することが考えられる。そして、かかるＮＤフィルタｊ、ｊ′の透過率は、例えば、一方のＮＤフィルタｊが３３％、他方のＮＤフィルタｊ′が１０％にする。図１０にその絞り開口（絞り径）の変化を順に示す。
【００１６】
このようにすると、素通し部分ｒと一方のＮＤフィルタｊとの透過率の差が上記従来の技術で説明したものよりも小さくなるため、素通し部分ｒの面積が小さくなっても（図１０（ｃ′）の状態からやや絞られた状態）、小絞りとして機能することが少なく、回析による画質の劣化と焦点深度の増大によるゴミの写り込み等を改善することができる。
【００１７】
ところが、透過率が異なる２枚のＮＤフィルタｊ、ｊ′を上記従来の技術で説明した露出制御機構ａに適用した場合、２枚の絞り羽根ｂとｃとの移動速度が同じであるため、ＣＣＤ（固体撮像素子）の撮像面でその中心部と周縁部（特に、四隅部）とで明るさが異なってしまう、所謂シェーディングが発生（悪化）し、画面における明暗が顕著になってしまうという問題がある。
【００１８】
即ち、図５は、ＣＣＤ（固体撮像素子）の撮像面における周辺部における中心部に対する光量（％）を光量Ｆナンバーに対応して表示したグラフ図であり、該グラフ図の破線で示すグラフが、この２枚のＮＤフィルタｊ、ｊ′を上記露出制御機構ａに適用したものである。このグラフから解るように、図１０（ａ′）から（ｄ′）にかけて（ｂ′）及び（ｃ′）状態で周辺光量（％）が下降し、その後、上昇しており、（ｃ′）の状態においていわゆるシェーディングの悪化が顕著になっている。尚、周辺部における中心部に対する光量（％）とは、ある状態における中心部の光量を１００％としたときのその状態における周辺部の光量の割合である。また、図５のグラフ図に２本の破線があるのは、ＣＣＤ（固体撮像素子）の画面上側と画面下側との各周辺光量を示す。
【００１９】
そこで、本発明は、上記問題点に鑑み、絞り開口が開放状態から小絞り状態に至る中間の状態の時における画質の劣化を防止するとともに、いわゆるシェーディングの発生（悪化）を減少させることを課題とする。
【００２０】
【課題を解決するための手段】
上記課題を解決するために、本発明は、光軸に直交する面上を２枚の絞り羽根が互いに離接する方向に移動することにより絞り開口を形成するようにされた撮像装置の露出制御機構において、露出制御機構は、光軸を中心とする光透過孔を有する筐体と、少なくとも２段階以上の透過率を有するＮＤフィルタが取着された第１の絞り羽根と、ＮＤフィルタが取着されていない第２の絞り羽根と、第１及び第２の絞り羽根を移動させる駆動手段とを備え、第１の絞り羽根に取着された２段階以上の透過率を有するＮＤフィルタの透過率は上部の透過率を下部の透過率より高くし、駆動手段は筐体に取着された駆動モータ及び該駆動モータの回転軸に固定された長さの異なる腕部を有する操作アームから成り、第１の絞り羽根を第２の絞り羽根よりも速く移動させるようにし、筐体の光透過孔の領域内で、第１及び第２の絞り羽根は、ＮＤフィルタで部分的に又は全面的に覆われた絞り開口を形成するものである。
【００２１】
従って、絞り羽根に取着するＮＤフィルタを少なくとも２段階としたので、中間域において素通し部分とＮＤフィルタとの透過率の差を小さくすることができ、その分素通し部分が恰も小絞りになることはなく、回折の改善を図ることができる。
【００２２】
また、ＮＤフィルタを取着した絞り羽根の移動速度をＮＤフィルタを取着していない絞り羽根より速くしたので、絞り径の開口面積のうち透過率が高い部分の面積が透過率の低い部分の面積よりも大きい状態を少なくすることができ、その分、シェーディングを減少させることができる。
【００２３】
【発明の実施の形態】
以下に、本発明の実施の形態について、添付図面を参照して説明する。
【００２４】
本発明は、光軸に直交する面上を絞り羽根が移動することにより絞り開口を制限するものである。尚、以下の説明において、上下左右の方向とは、露出制御機構１を物体側から見た時の上下左右の方向を指すものとし、また、前後の方向とは、物体側を前方、像側を後方としてそれぞれ示すものとする。
【００２５】
即ち、露出制御機構１は、図１に示すように、２枚（第１、第２）の絞り羽根２及び３と、第１の絞り羽根２に取着されたＮＤフィルタ４と、第１及び第２の絞り羽根２及び３を駆動するための駆動手段５及び該駆動手段５が固定される筐体６等から成るものである。
【００２６】
上記絞り羽根２及び３は、例えば、比較的腰の強い樹脂フィルムによって形成されており、撮像装置の図示しない撮像レンズ系において、第１の絞り羽根２が物体側、第２の絞り羽根３が像側になるように配置されている。
【００２７】
第１の絞り羽根２は、上縁に絞り開口形成用切欠７が形成されると共に、右側縁寄りの位置及び左側縁寄りの位置には、上下方向に延びる被案内スリット８、８及び被案内スリット９がそれぞれ形成されている。また、下縁寄りの位置には、左右に長く延びた連結長孔１０が形成されている。
【００２８】
第１の絞り羽根２の絞り開口形成用切欠７は上縁に開口され、その形状は上下方向のほぼ中央から上半分７ａが左右の幅が同じで、下半分７ｂが下方へ行くに従い幅狭になり下端縁（以下、「三角状部分」という。）７ｃが扁平な三角状に形成されている。
【００２９】
ＮＤフィルタ４は、上部４ａ及び下部４ｂでそれぞれ異なる透過率を有するように濃度差を持つように形成されたものであり、上部４ａの透過率は約３３％であり、下部４ｂの透過率は約１０％である。そして、ＮＤフィルタ４はその上部４ａが第１の絞り羽根２の絞り開口形成用切欠７の上半分７ａを、その下部４ｂが第１の絞り羽根２の絞り開口形成用切欠７の下半分７ｂを覆うように取着されている。
【００３０】
第２の絞り羽根３は、略左半分の下方寄りの部分が切り欠かれたような形状、即ち、右半分の下縁部が左半分よりも下方に延びた形状を有するものであり、上方寄りの位置に絞り開口形成用開口１１が形成されると共に、右側縁寄りの位置及び左側縁寄りの位置には、上下方向に延びる被案内スリット１２、１２及び被案内スリット１３がそれぞれ形成されている。また、下方に延びた右半分の下側縁寄り、即ち、右下の被案内スリット１２の直下位置には、左右に長く延びた連結長孔１４が形成されている。
【００３１】
絞り開口形成用開口１１は全体１１ａ（以下、「円形部分」という。）がほぼ円形でその上端縁（以下、「三角状部分」という。）１１ｂが扁平な三角状に形成されている。
【００３２】
筐体６は、上方寄りの位置に光通過孔１５、下方左寄りの位置に縦長の向きで円弧状長孔１６及び下方右よりの位置に縦長の向きで円弧状長孔１７が形成されている。また、筐体６の略中央部分には、上記絞り羽根２及び３の被案内スリット８、８、９、１２、１２及び１３と後述するように各別に係合する案内ピン１８、１８及び１８が左側に１つ、右側に２つそれぞれ前方（物体側）に突出するように形成されている。
【００３３】
駆動手段５は、筐体６に後方側から適宜な方法で固定された駆動モータ１９と、該駆動モータ１９の回転軸１９ａに固定される操作アーム２０から成るものである。
【００３４】
操作アーム２０は、その中央部が上記駆動モータ１９の回転軸１９ａに固定されている。そして、該操作アーム２０は互いに反対方向に延びる腕部２１ａ、２１ｂを有し、左側の腕部２１ａの先端部に連結ピン２２ａが、右側の腕部２１ｂの先端部に連結ピン２２ｂがそれぞれ前方に向かって突設されており、左側の腕部の２１ａの方が右側の腕部２１ｂよりも長く形成されている。
【００３５】
そして、左端に位置した連結ピン２２ａが上記第１の絞り羽根２の連結長孔１０に、右端の連結ピン２２ｂが第２の絞り羽根３の連結長孔１４に、それぞれ摺動自在に係合される。
【００３６】
従って、操作アーム２０が回動すると、その連結ピン２２ａと２２ｂとは互いに上下反対の方向へ移動するので、それにより、第１の絞り羽根２と第２の絞り羽根３とが互いに上下反対の方向へ移動される。また、連結ピン２２ａの回転軸１９ａからの距離の方が連結ピン２２ｂよりも遠いので、第１の絞り羽根２の方が第２の絞り羽根３よりも速く移動される。
【００３７】
そして、第１の絞り羽根２と第２の絞り羽根３とが互いに上下反対の方向へ移動することにより、それぞれの絞り開口形成用切欠７と絞り開口形成用開口１１とが重なり合ってできる開口、すなわち、絞り開口２３の大きさが図３（Ａ）乃至（Ｇ）に示すように変化する。
【００３８】
図３（Ａ）の状態は、開放絞り状態を示し、操作アーム２０の左側腕部２１ａが斜め下方で右側腕部２１ｂが斜め上方にそれぞれ延びる向きの状態で、第１の絞り羽根２がその移動範囲における下端に、第２の絞り羽根３がその移動範囲における上端にそれぞれ位置されている（図２参照）。この状態においては、第２の絞り羽根３の絞り開口形成用開口１１と筐体６の光通過孔１５と一致して素通し部分２４が形成され、また、第１の絞り羽根２の絞り開口形成用切欠７の上部であってＮＤフィルタ４の上部４ａが光通過孔１５の下側ほぼ１／３を覆うように位置されている。尚、開放絞り状態（Ａ）における絞り開口２３は、絞り開口形成用切欠７と絞り開口形成用開口１１との重なりによってできるのではなく、筐体６の光通過孔１５の大きさとなる。
【００３９】
図３（Ｂ）の状態は、（Ａ）の状態から徐々に絞り羽根２、３を移動させて絞り開口２３を絞った状態で、上記絞り開口形成用開口１１の三角状部分１１ｂが上記光通過孔１５の上部に僅かに掛かるように位置されて素通し部分２４の左斜め上部及び右斜め上部が削られるとともにＮＤフィルタ４の上部４ａが上記光通過孔１５のほぼ下半分を覆うように位置される。
【００４０】
図３（Ｃ）の状態は、（Ｂ）の状態からさらに絞り羽根２、３を移動させて絞り開口２３を絞った状態で、上記絞り開口形成用開口１１の三角状部分１１ｂが上記光通過孔１５の上部に位置して素通し部２４の上部が削られるとともにＮＤフィルタ４の上部４ａが上記光通過孔１５の上下方向のほぼ中央部に位置し、また、ＮＤフィルタ４の下部４ｂが下側１／４を覆うように位置する。尚、このとき、絞り開口形成用開口１１とＮＤフィルタ４の上部４ａとの間の素通し部分２４が小さく扁平な三角形を呈することになるが、素通し部分２４とＮＤフィルタ４の上部４ａとの透過率の差が従来に比べて小さいため、回折による像の劣化は軽減される。
【００４１】
図３（Ｄ）の状態は、（Ｃ）の状態からさらに絞り羽根２、３を移動させて絞り開口２３を絞った状態で、素通し部２４はなくなり、絞り開口２３の上側はＮＤフィルタ４の上部４ａで、その下側はＮＤフィルタ４の下部４ｂで覆われる。また、この状態では、絞り開口用切欠７の三角状部分７ｃが光通過孔１５内に進入しており、左斜め下部及び右斜め下部がやや削られている。
【００４２】
図３（Ｅ）の状態は、（Ｄ）の状態からさらに絞り羽根２、３を移動させて絞り開口２３を絞った状態で、絞り開口２３は絞り開口用切欠７の三角状部分７ｃと絞り開口用開口１１の三角状部分１１ｂとでひし形に形成され、かつ、この状態ではＮＤフィルタ４のうち濃い濃度（透過率１０％）の上部４ｂがその全面を覆っている。また、この状態では、絞り開口２３が光軸を中心として対称に位置されている。
【００４３】
図３（Ｆ）の状態は、（Ｅ）の状態からさらに絞り羽根２、３を移動させて絞り開口２３を絞った状態で、絞り開口２３はひし形の形状のままで小さくされ、また、第１の絞り羽根２の移動速度が速いため絞り開口２３は光軸よりやや上方へ偏倚した位置に形成される。かかる状態は被写体が極めて明るい場合のみ使用するものであり、ＣＣＤ（固体撮像素子）における結像面でのいわゆる「ケラレ」が出ないところまで使用可能である。
【００４４】
図３（Ｇ）の状態は、（Ｆ）の状態からさらに絞り羽根２、３を移動させて絞り開口２３を絞った状態で、絞り開口２３が形成されていない状態を示す。かかる状態は撮影時に使用されることはないが、ＣＣＤ（固体撮像素子）の保護及びＣＣＤの欠陥補正のために絞り開口２３を閉めることが好ましいからである。
【００４５】
図４は、上述のようにＭＴＦ値を光量Ｆナンバーに対応して表示するグラフ図であり、該グラフ図の実線で示すグラフが上記第１の実施の形態にかかる露出制御機構１のものである。（Ａ）乃至（Ｅ）は、図３の絞り開口形状（Ａ）乃至（Ｅ）に対応したものである。このグラフから解るように、露出制御機構１においては、従来の技術で説明した露出制御機構ａのＭＴＦ値と比べても、広い光量Ｆナンバーの範囲にわたってＭＴＦ値が高いレベルで維持されている。
【００４６】
また、図５は、上述のように周辺光量を光量Ｆナンバーに対応して表示したグラフ図であり、該グラフ図の実線で示すグラフが上記第１の実施の形態にかかる露出制御機構１のものである。（Ａ）乃至（Ｅ）は、図３の絞り開口形状（Ａ）乃至（Ｅ）に対応したものである。このグラフから解るように、開放絞り状態（Ａ）からほとんど下降することなく（Ｂ）になっており、従来、開放絞り状態（ａ９からやや絞った（ｃ）状態において、シェーディングの悪化が生じていたが、かかる光量Ｆナンバーに相当する部分におけるシェーディングの改善を図ることができた。
【００４７】
図６は、透過率の異なるＮＤフィルター４の比較例４Ａであり、かかるＮＤフィルタ４Ａは、２枚の同透過率３３％のＮＤフィルタ２５ａ、２５ｂを段違いに貼り合せて構成したものでであり、その上部が１枚のＮＤフィルタ２５ａで、下部が２枚のＮＤフィルタ２５ａと２５ｂとを貼り合せたものである。
【００４８】
このように、２枚のＮＤフィルタ２５ａと２５ｂとを貼り合わせた下部における透過率は３３％×３３％＝１０％ととなり、上記実施の形態におけるＮＤフィルタ４の下部４ｂの透過率と同じになる。
【００４９】
しかして、かかる比較例４Ａによれば、ＮＤフィルタ４Ａの作成を容易にすることができる。
【００５０】
図７は、透過率の異なるＮＤフィルター４の比較例４Ｂであり、かかるＮＤフィルタ４Ｂは、２枚の同透過率３３％のＮＤフィルタ２６ａ、２６ｂを各別の絞り羽根に段違いに貼り合せて構成したものである。具体的には、一方の絞り羽根２７にＮＤフィルタ２６ａをその上部まで、他方の絞り羽根２８にＮＤフィルタ２６ｂをその下部までそれぞれ取着したものである。
【００５１】
このように、絞り羽根２７、２８の上部においては１枚のＮＤフィルタ２６ａが、その下部においては２枚のＮＤフィルタ２６ａ、２６ｂが位置されるため、上記実施の形態におけるＮＤフィルタ４の下部４ｂの透過率と同じになる。
【００５２】
しかして、かかる比較例４Ｂによれば、ＮＤフィルタ４Ｂの作成に当たり、２枚のＮＤフィルタを貼り合せる必要がなく、その分容易にすることができる。
【００５３】
尚、前記実施の形態において示した各部の具体的な形状及び構造は、何れも本発明を実施するに当たっての具体化のほんの一例を示したものに過ぎず、これらによって本発明の技術的範囲が限定的に解釈されることがあってはならないものである。
【００５４】
【発明の効果】
以上に説明したように本発明は、光軸に直交する面上を２枚の絞り羽根が互いに離接する方向に移動することにより絞り開口を形成するようにされた撮像装置の露出制御機構において、露出制御機構は、光軸を中心とする光透過孔を有する筐体と、少なくとも２段階以上の透過率を有するＮＤフィルタが取着された第１の絞り羽根と、ＮＤフィルタが取着されていない第２の絞り羽根と、第１及び第２の絞り羽根を移動させる駆動手段とを備え、第１の絞り羽根に取着された２段階以上の透過率を有するＮＤフィルタの透過率は上部の透過率を下部の透過率より高くし、駆動手段は筐体に取着された駆動モータ及び該駆動モータの回転軸に固定された長さの異なる腕部を有する操作アームから成り、第１の絞り羽根を第２の絞り羽根よりも速く移動させるようにし、筐体の光透過孔の領域内で、第１及び第２の絞り羽根は、ＮＤフィルタで部分的に又は全面的に覆われた絞り開口を形成することを特徴とする。
【００５５】
従って、絞り羽根に取着するＮＤフィルタを少なくとも２段階としたので、中間域において素通し部分とＮＤフィルタとの透過率の差を小さくすることができ、その分素通し部分が恰も小絞りになることはなく、回折の改善を図ることができる。
【００５６】
また、ＮＤフィルタを取着した絞り羽根の移動速度をＮＤフィルタを取着していない絞り羽根より速くしたので、絞り径の開口面積のうち透過率が高い部分の面積が透過率の低い部分の面積よりも大きい状態を少なくすることができ、その分、シェーディングを減少させることができる。
【図面の簡単な説明】
【図１】  図２乃至図４と共に、本発明の実施の形態を示すものであり、本図は露出制御機構の分解斜視図である。
【図２】  露出制御機構の正面図である。
【図３】  開放状態から小絞り状態へと移行する各段階における絞り開口の状態を示す図である。
【図４】  本発明及び従来技術における露出制御機構のＭＴＦ値を示すグラフ図である。
【図５】  本発明及び別の従来技術における露出制御機構における受光面の中心部に対する周辺光量を示すグラフ図である。
【図６】  ＮＤフィルタの比較例を示す要部の分解斜視図である。
【図７】  ＮＤフィルタの別の比較例を示す要部の分解斜視図である。
【図８】  図９と共に、従来の撮像装置における露出制御機構を示すものであり、本図は露出制御機構の分解斜視図である。
【図９】  開放状態から小絞り状態へと移行する各段階における絞り開口の状態を示す図である。
【図１０】  別の従来における開放状態から小絞り状態へと移行する各段階における絞り開口の状態を示す図である。
【符号の説明】
１…露出制御機構、２…ＮＤフィルタが取着された絞り羽根、３…ＮＤフィルタが取着されていない絞り羽根、４…１枚で２段階の透過率を有するＮＤフィルタ、４ａ…上部、４ｂ…下部、５…駆動手段、６…筐体、７…開口形成用切欠、１１…絞り開口形成用開口、１５…光透過孔、１９…駆動モータ、２０…操作アーム、２１ａ…腕部、２１ｂ…腕部、２３…絞り開口
【図１】
0004650647.tif 000002
【図２】
0004650647.tif 000003
【図３】
0004650647.tif 000004
【図４】
0004650647.tif 000005
【図５】
0004650647.tif 000006
【図６】
0004650647.tif 000007
【図７】
0004650647.tif 000008
【図８】
0004650647.tif 000009
【図９】
0004650647.tif 000010
【図１０】
0004650647.tif 000011